(57)【要約】【課題】遊技機の演出のための表示装置を表示に使用するだけでなく、それ以外の機能を追加することで、更なる演出効果を高める。【解決手段】本発明の遊技機は、画像データを表示する第１の表示手段と、第１の表示手段の画像データを表示するためのスクリーンをもつ第２の表示手段とを有する表示装置において、第２の表示手段は、回転可能に支持されており、回転することにより、スクリーンが見える第１の状態になったり、スクリーンが見えない第２の状態になったりすることを特徴とする。【選択図】図２
2011067250.tif 000002
【特許請求の範囲】
【請求項１】
画像データを表示する第１の表示手段と、
前記第１の表示手段の画像データを表示するためのスクリーンをもつ第２の表示手段とを有する表示装置において、
前記第２の表示手段は、回転可能に支持されており、回転することにより、スクリーンが見える第１の状態になったり、スクリーンが見えない第２の状態になったりする
ことを特徴とする表示装置。
【請求項２】
請求項１記載の表示装置において、
前記第２の表示手段は、前記第１の表示手段の画像データを反射鏡により前記スクリーンに投影させる
ことを特徴とする表示装置。
【請求項３】
請求項１または２記載の表示装置において、
前記第１の表示手段は、前記第２の表示手段の回転に応じて、画像データが切り替わることを特徴とする表示装置。
【請求項４】
画像データを表示する第１の表示手段と、
前記第１の表示手段の画像データを表示するためのスクリーンをもち、回転可能に支持されている第２の表示手段と、
特定の演出を実行するように指示されると前記第２の表示手段を回転させる制御手段と、
を有する表示装置を備えた
ことを特徴とする遊技機。
【請求項５】
請求項４記載の遊技機において、
特定の演出を実行するように指示された場合、
前記制御手段は、前記第１の表示手段の画像データを切り替える
ことを特徴とする遊技機。
【請求項６】
請求項４または５記載の遊技機において、
前記遊技機の前面に前記表示装置を複数配置する
ことを特徴とする遊技機。
【発明の詳細な説明】
【技術分野】
【０００１】
本発明は、遊技機、例えば、パチスロ遊技装置、パチンコ遊技装置などの演出効果に関するものである。
【背景技術】
【０００２】
従来、この種の遊技機においては、遊技の演出効果を出すために、液晶表示装置を備えた構成が提案されている。例えば、特許文献１に記載の発明では、メインの液晶表示装置の他に、サブの液晶表示装置を備えた遊技機において、両者の液晶表示装置が、表示内容を連携して表示することにより演出効果を向上させている。
【０００３】
また、特許文献２に記載の発明では、リールを有する遊技機において、リールの裏側にランプ、反射鏡などを備え、リールの裏側の絵柄を正面の盤面に表示させることにより演出効果を向上させている。
【先行技術文献】
【特許文献】
【０００４】
【特許文献１】特開２００８−２７２０９９号公報
【特許文献２】特開２００９−０７２４３６号公報
【発明の概要】
【発明が解決しようとする課題】
【０００５】
しかしながら、特許文献１および２の発明では、表示画面が固定されているため、まだ十分な演出効果を得ることができないという問題があった。
【０００６】
そこで、本発明の目的は、遊技機の演出のための表示装置を表示に使用するだけでなく、それ以外の機能を追加することで、更なる演出効果を高めることができる表示装置、および、遊技機を提供する。
【課題を解決するための手段】
【０００７】
本発明の表示装置は、画像データを表示する第１の表示手段と、第１の表示手段の画像データを表示するためのスクリーンをもつ第２の表示手段とを有する表示装置であって、第２の表示手段は、回転可能に支持されており、回転することにより、スクリーンが見える第１の状態になったり、スクリーンが見えない第２の状態になったりすることを特徴とする。
【０００８】
また、本発明の表示装置は、第２の表示手段が、第１の表示手段の画像データを反射鏡によりスクリーンに投影させることを特徴とする。
【０００９】
また、本発明の表示装置は、第１の表示手段が、第２の表示手段の回転に応じて、画像データが切り替わることを特徴とする。
【００１０】
また、本発明の遊技機は、画像データを表示する第１の表示手段と、第１の表示手段の画像データを表示するためのスクリーンをもち、回転可能に支持されている第２の表示手段と、特定の演出を実行するように指示されると第２の表示手段を回転させる制御手段と
を有する表示装置を備えたことを特徴とする。
【００１１】
また、本発明の遊技機は、特定の演出を実行するように指示された場合、制御手段が、第１の表示手段の画像データを切り替えることを特徴とする。
【００１２】
また、本発明の遊技機は、遊技機の前面に表示装置を複数配置することを特徴とする。
【発明の効果】
【００１３】
本発明によれば、遊技機に表示装置を設置し、その表示装置に画像を表示させるだけでなく、新たな演出役物としての機能を組み合わせることで、より斬新な演出効果を得ることができる。
【図面の簡単な説明】
【００１４】
【図１】本発明の実施形態における表示装置１０の配置図である。
【図２】本発明の実施形態における表示装置１０のブロック図である。
【図３】本発明の実施形態における演出実行部２の内部構成図である。
【図４】本発明の実施形態における表示装置１０の立体構成図である。
【図５】本発明の実施形態における演出実行部２の外観図である。
【図６】本発明の実施形態における演出実行部２の動作を表した図である。
【図７】本発明の実施形態における表示装置１０の動作フローチャート図である。
【発明を実施するための形態】
【００１５】
本発明を実施するための最良の実施形態について、図面を用いて詳細に説明する。
【００１６】
図１は、本発明の実施形態である遊技機における表示装置１０とメイン表示装置２０との配置関係を表した図である。この図では、メイン表示装置２０の下に、表示装置１０が３つ並べて配置されているが、配置されている表示装置１０の個数や、配置位置は、限定されることはなく、設計に応じて適宜構成される。
【００１７】
図２は、表示装置１０のブロック図である。表示装置１０は、表示部１と、演出実行部２と、駆動部３と、制御部１４と有して構成される。
【００１８】
演出実行部２は、反射鏡１１と、透過スクリーン１２と、センサ受光部１３と有して構成される。また、駆動部３は、ステッピングモータ４と、第１ギア５と、第２ギア６と、エンコーダ７と、第１位置センサ８と、第２位置センサ９と有して構成される。
【００１９】
図３は、演出実行部２の内部構成を表した図である。演出実行部２の内部に、反射鏡１１と透過スクリーン１２が固定装着されている。また、軸受け１５は、第２ギア６の軸を受けているので、第２ギア６の軸を演出実行部２に固定することになる。よって、演出実行部２は、第２ギア６の回転にあわせて同一の回転を行う。更に、表示部１との位置関係を理解しやすくするために、補足的に表示部１を同図に記載してある。
【００２０】
図４は、表示装置１０の構成を立体的に表した図である。制御部１４からの電気信号により、ステッピングモータ４が回転し、それに連動して第１ギア５および第２ギア６が回転する。ここで、上述したように、第２ギア６の軸と演出実行部２の軸受け１５が同軸上で連結されているので、演出実行部２は第２ギア６の回転にあわせて同一の回転を行う。
【００２１】
また、駆動部３には、エンコーダ７と、第１位置センサ８と、第２位置センサ９が備え付けられている。エンコーダ７と第１位置センサ８は、第２ギア６の回転を制御するためのものであり、第２位置センサ９は、演出実行部２の傾きを検出するためのセンサである。演出実行部２の傾きを検出するために、図５に示すように演出実行部２の側面にセンサ受光部１３が備えて付けられている。
【００２２】
図６は、演出実行部２の動作を表した図である。上述したように、制御部１４からの電気信号により、ステッピングモータ４が回転し、それに連動して第１ギア５および第２ギア６が回転する。すると、第２ギア６の軸と演出実行部２の軸受け１５が同軸上に連結されているので、演出実行部２は第２ギア６の回転にあわせて同一の回転を行う。回転方向は、プラス側、マイナス側のいずれも、可能である。
【００２３】
図７は、表示装置１０の動作に係るフローチャート図である。本フローチャート図を用いて、表示装置１０の動作について詳細に説明する。
【００２４】
通常の表示装置１０の状態では、演出実行部２の透過スクリーン１２が遊技機を操作する者の正面に位置し、表示部１の画像は、演出実行部２の反射鏡１１を介して透過スクリーン１２に映し出されている。
【００２５】
通常の遊技状態から特定の演出が実行される時、例えば、何かに当選するか否かの抽選を行う場合、抽選開始の信号が制御部１４に伝達される（ステップＳ１１０）。抽選開始の信号を受けた制御部１４は、表示部１および駆動部３に抽選開始に伴う制御信号を送信する（ステップＳ１２０）。
【００２６】
駆動部３は、制御部１４からの制御信号に従って、ステッピングモータ４を回転させ、連動する第１ギア５および第２ギア６を回転させることで、演出実行部２を回転させる。回転方向は、上述したように、プラス側、マイナス側のいずれも可能であり、回転スピードの強弱も調整することができる（ステップＳ２１０）。そして、抽選の結果が判明した時点で、演出実行部２を停止させる（ステップＳ２２０）。
【００２７】
一方、表示部１は、制御部１４から抽選開始に伴う制御信号を受け取ると、これまでの画像とは異なる画像を表示する（ステップＳ３１０）。そして、演出実行部２が回転中は、表示部１の表示を様々に切り替えることで、演出実行部２の透過スクリーン１２に様々な画像を映し出すことが可能になる（ステップＳ３２０）。最後は、抽選の結果が判明した時点で、当選したか、はずれたかを表示する（ステップＳ３３０）。なお、透過スクリーン１２は、電子シャッター式にすることで、映像をさえぎるようにして、更に趣向性を向上させることもできる。
【００２８】
以上、実施の形態を説明してきたが、特許請求の範囲に定義された本発明の広範囲な趣旨およびその範囲から逸脱することなく、これら実施の形態や具体例に様々な修正および変更が可能である。
【符号の説明】
【００２９】
１    表示部
２    演出実行部
３    駆動部
４    ステッピングモータ
５    第１ギア
６    第２ギア
７    エンコーダ
８    第１位置センサ
９    第２位置センサ
１０    表示装置
１１    反射鏡
１２    透過スクリーン
１３    センサ受光部
１４    制御部
１５    軸受け
【図１】
2011067250.tif 000003
【図２】
2011067250.tif 000004
【図３】
2011067250.tif 000005
【図４】
2011067250.tif 000006
【図５】
2011067250.tif 000007
【図６】
2011067250.tif 000008
【図７】
2011067250.tif 000009